(57)【要約】【課題】  薄層クロマトグラフィーにおいて、展開液の展開前に付与した液体試料の量を正確に定量できるようにすること。【解決手段】  溶媒を含む試料の中から１つ以上の検体を分離する薄層クロマトグラフィー用のプレートであって、担体と、前記担体に担持された物質とを含み、前記物質は、前記プレートに付与された前記溶媒によって、前記担体中をＲｆ値が０．４以上となるように展開する。【選択図】  図１
2019174389.tif 000002
【特許請求の範囲】
【請求項１】
溶媒を含む試料の中から１つ以上の検体を分離する薄層クロマトグラフィー用のプレートであって、担体と、前記担体に担持された物質とを含み、前記物質は、前記溶媒によって、前記担体中をＲｆ値が０．４以上となるように展開することを特徴とするプレート。
【請求項２】
前記試料が前記プレートに付与されることによって展開された後の、前記物質の前記担体上の位置に応じて、前記プレートに付与された前記試料を定量することが可能に構成されていることを特徴とする請求項１に記載のプレート。
【請求項３】
前記担体の質量に対する、前記物質の質量の割合が０．４５ｗｔ％以上であることを特徴とする請求項１または２に記載のプレート。
【請求項４】
前記物質のＲｆ値が０．５以上であることを特徴とする請求項１乃至３のいずれか１項に記載のプレート。
【請求項５】
前記溶媒が水を８０％以上含有することを特徴とする請求項１乃至４の何れか１項に記載のプレート。
【請求項６】
前記担体がシリカゲルを含み構成されることを特徴とする請求項１乃至５の何れか１項に記載のプレート。
【請求項７】
前記物質が、水素結合の受容体を５つ以上含む構造を有することを特徴とする請求項６に記載のプレート。
【請求項８】
前記物質がキサンツレン酸、アデノシン、カフェインの中のうち少なくともいずれか１つを含むことを特徴とする請求項７に記載のプレート。
【請求項９】
前記担体がオクタデシル基を修飾したシリカゲルを含み構成されることを特徴とする請求項１乃至５の何れか１項に記載のプレート。
【請求項１０】
前記物質が、水素結合の受容体を５つ以下含む構造を有することを特徴とする請求項９に記載のプレート。
【請求項１１】
前記物質がキノリン酸、ウラシル、４−ピリドキシン酸、ｔｒａｎｓ−ウロカニン酸のうち少なくともいずれか１つを含むことを特徴とする請求項１０に記載のプレート。
【請求項１２】
前記検体が、８オキソ２’デオキシグアノシンであることを特徴とする請求項１乃至１１の何れか１項に記載のプレート。
【発明の詳細な説明】
【技術分野】
【０００１】
本発明は薄層クロマトグラフィー用プレートに関する。
【背景技術】
【０００２】
薄層クロマトグラフィー（以下ＴＬＣともいう）は、ガラスやアルミなどの支持体上にシリカゲルやアルミナなどの担体を薄く塗ったプレートに試料を塗布（スポット）し、溶媒で展開することで、混合物を分離する手法である。安価で迅速な分析が可能であることから、化学反応の追跡や簡易的な薬物検査などに広く用いられている。
【０００３】
ＴＬＣは単に目的成分の分離や検出をするだけではなく、分離後の試料のスポットから目的成分を定量することも可能である。特許文献１では展開後のスポットの形状を計測し、目的成分定量する手段が書かれている。
【０００４】
一方で、液体試料中の濃度を知りたい場合は、分離後の目的成分の量だけではなく、付与した液体試料の量が分かっていることが必要である。一般的には精密ピペットを用いて正確な量の液体試料を付与し、分離後の目的成分の量を付与した液体量で除算することで濃度を求める。したがって、正確な目的成分濃度を求めるためには付与した液体試料の量を正確に把握することが重要である。しかし、液体試料の量を正確に分取する装置は一般的に高価である。安価なＴＬＣを用いた検査キットを作成しても高価な分取装置が必要か、または求める目的成分濃度の精度を諦めるしかなかった。
【先行技術文献】
【特許文献】
【０００５】
【特許文献１】特開昭６０−２５３８４９号公報
【発明の概要】
【発明が解決しようとする課題】
【０００６】
ＴＬＣを行う際に、付与した液体試料の量を正確に把握することを課題とする。
【課題を解決するための手段】
【０００７】
本発明に係る薄層クロマトグラフィー用プレートは、溶媒を含む試料の中から１つ以上の検体を分離する薄層クロマトグラフィー用プレートであって、前記溶媒によってＲｆ値が０．４以上で展開する物質と、前記物質を担持する担体と、を含むことを特徴とする。
【発明の効果】
【０００８】
本発明に係るＴＬＣ用プレートによれば、展開前に付与した液体試料の量を定量することができ、展開後目的成分を定量した後に目的成分の液体試料中での濃度を求める事が出来る。
【図面の簡単な説明】
【０００９】
【図１】本発明の実施形態におけるＴＬＣ用プレートの一例
【図２】本発明の実施形態における境界線物質の塗布領域
【図３】本発明の実施例における液体試料の付与量と画素数の関係
【発明を実施するための形態】
【００１０】
以下、本発明の実施形態について説明するが本発明はこれらに限られない。
【００１１】
本実施形態は、溶媒を含む試料の中から１つ以上の検体を分離する薄層クロマトグラフィー用プレートであって、前記溶媒によってＲｆ値が０．４以上で展開する物質と、前記物質を担持する担体と、を含むことを特徴とする。言い換えると、溶媒を含む試料の中から１つ以上の検体を分離する薄層クロマトグラフィー用のプレートであって、担体と、前記担体に担持された物質とを含む。そして、前記物質は、前記プレートに付与された前記溶媒によって、前記担体中をＲｆ値が０．４以上となるように展開することを特徴とする。
【００１２】
薄層クロマトグラフィー用のプレートに、溶媒を含む試料（液体試料）を付与する方法としては、ピペットを用いてプレート上に滴下する方法、プレートの端部を液体試料に接触させ、液体試料を吸い上げる方法等がある。使用者になるべく簡便に液体試料を付与させる為には、ピペットやプレートで吸い上げる液体試料の量を正確にあらかじめ決めておくのではなく、吸い上げる液体試料の量にばらつきがあっても、液体試料の付与後に正確な付与量が測れた方が良い。液体試料が着色していれば、どの範囲に液体試料が付与されたかが分かる為、そこから液体試料の付与量を算出する事は可能である。しかし、液体試料の多くは無色であり検体濃度も微量であることが多く、液体試料を付与しても、溶媒が乾燥してしまうと、どの範囲に液体試料が付与されたかが分からなくなる。溶媒は時間とともに乾燥し、液体試料の境界部は不明瞭になっていくため、正確な境界部を求めることができない。
【００１３】
本実施形態では、試料がプレートに付与されることによって展開された後の、物質の担体上の位置に応じて、プレートに付与された試料を定量することが可能に構成されている。以下、具体的に説明する。本実施形態において、担体には、液体試料中の溶媒によって担体（プレート）中で展開する物質（以下、境界線物質）が担持されている。液体試料をプレートに付与すると液体試料の広がりとともに境界線物質も広がって行く。その結果、液体試料の境界部では境界線物質の濃度が高くなり、境界線を形成する。この境界線をカメラ等で撮影し、プレート上の境界線に包まれた領域、つまり液体試料が付与された領域の面積を算出することで、精度良く液体試料の付与量を計測する事が出来る。この境界線は液体試料の溶媒が蒸発しても変化しない為、液体試料付与からカメラ等による計測までの時間にばらつきがあっても計測精度には影響しない。
【００１４】
液体試料の付与量は、液体試料が付与された領域の面積と液体付与量の検量線を作成し、それを利用することで算出する事が可能である。
【００１５】
（薄層プレート）
本実施形態のＴＬＣ用プレートの一例について図１を用いて説明する。本実施形態に係るプレートは支持体１０１上に担体の層１０２を有する。支持体１０１の材質は、ガラス、プラスチック、アルミ等が用いられ、試料の種類、展開液の種類等により適宜選択できる。なお、支持体１０１がなく、担体の層１０２が、支持体１０１を兼ねる構成であってもよい。支持体１０１の寸法や形状については、取り扱いの簡便さからは試料が移動する方向の長さ３ｃｍ〜１５ｃｍ、幅１ｃｍ〜５ｃｍの方形が好ましい。担体としては、シリカゲル、アルミナ、セルロース、けいそう土などを用いることができる。また、オクタデシル基を修飾したシリカゲルのように、シリカゲル中のシラノール基に有機部位を化学結合した化学修飾型シリカゲルも用いることができる。化学修飾型シリカゲルは逆相、ＮＨ２、ＣＮ、ＤＩＯＬタイプなどが知られており、分析したい試料にあわせ、適宜選択すればよい。
【００１６】
さらに、本実施形態に係るプレートには担体の層１０２の中に境界線物質が含有されている。この物質は予め担体上に塗布しても良いし、担体の原料であるシリカゲル等と混合した上で支持体上に担体とともに塗布しても良い。担体上に境界線物質を塗布する方法としては、境界線物質を溶解させた溶媒にプレートごと浸漬する方法、境界線物質の溶液をスプレー等で塗布する方法等がある。
【００１７】
境界線物質２０１は薄層プレートの全体に分布していても良いし（図２（ａ））、一部分２０２に分布していても良い（図２（ｂ））。図２（ｂ）において、２０３は、境界線物質が設けられていない領域である。予め液体試料を塗布する場所と大まかな量が分かっていれば、図２（ｂ）のように液体試料を塗布する場所近辺に境界線物質を分布させるだけでも良い。
【００１８】
（境界線物質）
境界線物質としては分離の目的物である検体と異なる物質であり、少なくとも液体試料中の溶媒によって展開（担体中を移動）できる物質であれば良く、それ以外は特に限定されない。境界線物質の液体試料中の溶媒に対するＲｆ値は大きい方が境界線をよりはっきりと確認でき、液体試料の付与量計測の精度が高くなる。Ｒｆ値は０．４以上が好ましく、０．５以上が好ましく、０．６以上がより好ましい。さらに０．７以上であることが特に良い。本発明において、ある物質のＲｆ値とは、当該物質を溶媒によって一方向に展開した際の、（展開前のスポットの中心から展開後のスポットの中心までの距離／展開前のスポットの中心から溶媒の先端までの距離）を意味する。このときのＲｆ値は、担体として、シリカゲル、又はオクタデシル基を修飾したシリカゲルを用い、展開液としては水を用いた場合の値である。ここで、スポットとは、物質の領域のことである。
【００１９】
また、境界線物質の担体の質量に対する含有量、すなわち、担体の質量に対する、境界線物質の質量の割合が０．４５ｗｔ％以上であることが好ましい。
【００２０】
物質のＲｆ値は担体の種類や展開溶媒によって大きく変わる為、最適な境界線物質もそれらによって変化する。一般的には、未修飾のシリカゲル（シリカゲル）の担体で溶媒が水を８０％以上含有する場合、水素結合受容体（フッ素、酸素、窒素などの陰性原子）が多い物質ほど展開液との相互作用が多くなりＲｆ値が大きくなる。この場合、境界線物質として水素結合の受容体を５つ以上含む構造を用いる事が好ましく、キサンツレン酸、アデノシン、カフェインなどが例示される。展開液がアルコール系の場合は物質と担体との相互作用の方が強くなるため逆の傾向になる場合が多い。
【００２１】
一方で、オクタデシル基を修飾したシリカゲル担体では未修飾のシリカゲル担体とは逆の傾向になる場合が多い。溶媒が水を８０％以上含む場合、境界線物質として水素結合の受容体を５つ以下含む構造であることが好ましく、具体例としてはキノリン酸、ウラシル、４−ピリドキシン酸、ｔｒａｎｓ−ウロカニン酸などがある。  境界線物質には可視化のための手段が必要である。ＴＬＣプレートは一般的に蛍光物質を含んでいるものが多く、ＵＶ光を吸収する物質が付与されていると、ＵＶ光照射時にその部分が暗くなる。したがって、ＵＶ吸収を持つ材料は境界線物質として使用できる。また、染料等の可視光域で視認できる色素も境界線物質として使用できる。その他にも蛍光を発する材料や燐光を有する材料なども使用できる。
【００２２】
（試料）
対象物を含有する試料としては特に限定されないが、本手法を用いれば、無色の物質や希薄な物質であっても分析することができる。たとえば、尿や汗などであっても付与量の計測は可能である。
【００２３】
（展開溶媒）
展開溶媒は、通常用いられている極性溶媒及び／または非極性溶媒を単独または混合して用いることができる。分析したい試料に合わせ、適宜選択すればよい。
【実施例】
【００２４】
以下に、実施例および比較例を挙げて本発明をより詳細に説明するが、本発明は以下の実施例に限定されるものではない。
【００２５】
（境界線物質を含むＴＬＣプレートの製作）
メルク社製のＴＬＣプレートである、ＴＬＣシリカゲル６０Ｆ２５４（担体厚さ２５０μｍ、担体：未修飾シリカゲル、支持体：ガラス、以下順相と表記）を用いた。また、メルク社製のＴＬＣシリカゲル６０ＲＰ−１８Ｆ２５４ｓ（担体厚さ２５０μｍ、担体：未修飾シリカゲル、支持体：ガラス、以下逆相と表記）を用いた。それぞれのプレートは２ｃｍ×５ｃｍに切断した。
【００２６】
表１に示す組み合わせで、各プレートに境界線物質をスプレー塗布し、実施例１から１４を作製した。境界線物質は全て１０μｇ／ｍｌの水溶液に調整し、１ｍｌをアネスト岩田社製のエアーブラシＨＰ−ＣＨを用いて全体に満遍なく塗布した。比較例として境界線物質を付与しないもの（比較例１〜４）、液体試料の溶媒に対して展開しない物質を境界線物質としたもの（比較例５〜１０）を用意した。表１における各Ｒｆ値は、境界線物質のＲｆ値を表す。
【００２７】
【表１】
2019174389.tif 000003
【００２８】
（液体試料の付与）
液体試料として、８オキソ２’デオキシグアノシンを１０ｎｇ／ｍｌ含む水溶液を用意した。滴下方式の場合、５０μｌをニチリョー社製の精密ピペットＮｉｃｈｉｐｅｔ  ｐｒｅｍｉｕｍを用いて分取し、各プレート上に滴下した。吸い上げ方式の場合、５０μｌを前記精密ピペットで分取し、テフロン（登録商標）製の板上に滴下し、各プレートに液滴を接触させて吸い上げた。表１には液体試料を滴下させて付与した場合は「ａ」、吸い上げて付与した場合は「ｂ」と記した。
【００２９】
（評価）
液体試料付与後、８０℃のホットプレート上でＴＬＣプレートを乾燥させた。乾燥させたＴＬＣプレートに対して、２５４ｎｍのＵＶ光源（アズワン社製  ハンディＵＶランプ）を照射した。次に、デジタルカメラ（キヤノン製ＰｏｗｅｒＳｈｏｔＧ９Ｘ、シャッター速度１／８、ＩＳＯ感度１２０、Ｆ値１．８、解像度５４７２×３６４８）で撮影した。その際にリファレンスとして境界線物質も液体資料も含まないＴＬＣプレート（以下、リファレンス用プレート）を並べて撮影した。ＴＬＣプレートの液体試料が接していない領域の輝度を１、リファレンス用プレート上の輝度を０として、液体試料の境界部の輝度を算出した。この場合、輝度値が大きいほど暗い画像になる。ＴＬＣプレートは担体中に蛍光物質を有しており、ＵＶ光源で発光する。境界線物質は紫外線の吸収を持つため、何も塗布していないリファレンス用プレートと比べて境界線物質を塗布したプレートは若干暗くなる。さらに液体試料の境界部は境界線物質が集まる為より暗くなり、境界線を形成する。液体試料の境界部の輝度が３以上となる場合をＡとし、輝度が２以上３未満となる場合をＢ、輝度が２未満の場合を許容できないレベルとしてＣとした。評価結果を表１に示す。
【００３０】
（必要な境界線物質の量）
メルク社製のＴＬＣプレートである、ＴＬＣシリカゲル６０Ｆ２５４（担体厚さ２５０μｍ、担体：未修飾シリカゲル、支持体：ガラス）を２ｃｍ×５ｃｍに切断した。その次に、キサンツレン酸水溶液１０μｇ／ｍｌの１ｍｌをアネスト岩田社製のエアーブラシＨＰ−ＣＨを用いて全体に満遍なく塗布した。すぐに密閉できるポリ袋にＴＬＣプレートを入れ、密閉したうえで質量を計測したところ、キサンツレン酸水溶液塗布前と比べて平均０．１７ｇ増加していた。一方、何も塗布していないＴＬＣプレートのシリカゲルを剃刀で削り取り質量を計測したところ平均０．１１ｇであった。キサンツレン酸水溶液の比重を１とすると、ＴＬＣプレート上のシリカゲルに対して重量で約１．５％のキサンツレン酸水溶液が含有していたことになる。
【００３１】
キサンツレン酸水溶液の濃度を１０μｇ／ｍｌから１μｇ／ｍｌまで変化させて１ｍｌをＴＬＣプレートに塗布し、上記（評価）と同様の方法で輝度を評価した。結果を表２に示す。境界線物質として必要な量はＴＬＣプレート上のシリカゲルの質量に対して０．４５ｗｔ％以上である。
【００３２】
【表２】
2019174389.tif 000004
【００３３】
（液体付与量の算出）
メルク社製のＴＬＣプレートである、ＴＬＣシリカゲル６０Ｆ２５４（担体厚さ５００μｍ、担体：未修飾シリカゲル、支持体：ガラス）と実施例１で使用したキサンツレン酸を境界線物質として実施例１と同様の方法でＴＬＣプレートに塗布した。液体試料として、８オキソ２’デオキシグアノシンを１０ｎｇ／ｍｌ含む水溶液を用意し、１００から２００μｌをニチリョー社製の精密ピペットＮｉｃｈｉｐｅｔ  ｐｒｅｍｉｕｍでテフロン製の板上に滴下した。その後ＴＬＣプレートに液滴を接触させて液体試料を吸い上げ、上記（評価）の手法と同様の方法でＴＬＣプレートの乾燥、デジタルカメラによる撮影を行った。この際、デジタルカメラとＴＬＣプレートの距離が常に一定になるように（撮影したＴＬＣプレートの大きさが常に同じになるように）注意した。
【００３４】
写真の輝度情報から液体試料の付与領域（試料がプレートに付与されて展開された後の境界線物質の位置）を決め、その面積を写真の画素数で求めた。液体試料の付与量と求めた画素数の関係を図３に示す。今回の場合、液体試料の付与量と求めた画素数は線形の関係にあり、次の式で表すことができた。
液体試料の付与量（ｍｌ）＝０．００５３１×求めた画素数・・・式（１）
【００３５】
上記式（１）を用いる事で、同じＴＬＣプレートを用いるのであれば、液体試料の付与量が未知であっても、液体試料付与後の写真から液体試料の付与量を知ることが可能である。
【符号の説明】
【００３６】
１０１  支持体
１０２  担体
２０１  境界線物質を付与した領域
２０２  境界線物質を付与した領域
２０３  境界線物質を付与していない領域
【図１】
2019174389.tif 000005
【図２】
2019174389.tif 000006
【図３】
2019174389.tif 000007